(57)【特許請求の範囲】
【請求項１】
十字軸の軸端部に被せられる軸受けカップと、上記軸受けカップに外嵌され、この軸受けカップを介して、上記十字軸を回動自在に保持するヨークとを備えるユニバーサルジョイントであって、
上記軸受けカップが嵌合する上記ヨークの嵌合穴の周面に形成された環状溝に嵌合するとともに、上記軸受けカップの端面に係合して、この軸受けカップを軸方向に係止するスナップリングを備え、
上記ヨークに対して上記軸受けカップが相対回転したときに、上記スナップリングを拡径させる作動部が、上記軸受けカップの端面に形成されており、
上記作動部は、上記軸受けカップの端面から軸方向に突き出した第１,第２の２つの円柱形の突起であり、この円柱形の突起は、上記ヨークに対して上記軸受けカップが相対回転したときに、上記スナップリングに係合して、上記スナップリングを拡径させるものであり、
上記スナップリングは、径方向内方へ鋭角状に屈曲していると共に断部を挟む両端部を有し、
上記第１の円柱形の突起の中心軸を通って上記スナップリングの一方の端部が延びている方向に延びる中心線がこの第１の円柱形の突起の外周面と交差する点で、この第１の円柱形の突起と、上記スナップリングの一方の端部の先端の端面の周方向両端の角のうちの上記断部とは反対側の角とが接している初期規定位置では、上記第２の円柱形の突起の中心軸を通って上記スナップリングの他方の端部が延びている方向に延びる中心線がこの第２の円柱形の突起の外周面と交差する点で、この第２の円柱形の突起と上記スナップリングの他方の端部の先端の端面の周方向両端の角のうちの上記断部とは反対側の角とが接することを特徴とするユニバーサルジョイント。
【発明の詳細な説明】
【０００１】
【発明の属する技術分野】
この発明は、ユニバーサルジョイントに関する。
【０００２】
【従来の技術】
従来、ユニバーサルジョイントとしては、図３(Ａ),(Ｂ)に示すように、十字軸１０１の軸端部１０１Ａに軸受けカップ１０２が被せられ、この軸受けカップ１０２は、ヨーク１０３の嵌合穴１０３Ａに嵌合されたものがある。この軸受けカップ１０２の軸端面１０２Ａには、径方向に延在する溝１０５が形成され、この溝１０５は軸端面１０２Ａの径方向の端から端まで延びている。この溝１０５には、断面略長方形のキープレート１０６が嵌合され、このキープレート１０６の両端はヨーク１０３にボルト１０７,１０８で締結されている。このユニバーサルジョイントは、このキープレート１０６でもって、軸受けカップ１０２がヨーク１０３から抜け出すのを防ぎ、かつ、軸受けカップ１０２がヨーク１０３に対して矢印方向に相対回転するのを防止している。
【０００３】
また、今一つのユニバーサルジョイントとしては、図４(Ａ),(Ｂ)に示すように、十字軸１１１の軸端部１１１Ａに軸受けカップ１１２が被せられ、この軸受けカップ１１２は、ヨーク１１３の嵌合穴１１３Ａに嵌合されたものがある。このヨーク１１３の嵌合穴１１３Ａの周面には環状溝１１５が形成され、この環状溝１１５にスナップリング１１６が嵌合されている。このスナップリング１１６は、その付勢力で拡径方向に付勢され、上記環状溝１１５に向かって径方向外方に付勢されている。また、このスナップリング１１６は、軸受けカップ１１２の軸端面１１２Ａに係合し、軸受けカップ１１２がヨーク１１３の嵌合穴１１３Ａから抜け出すのを防止している。また、この軸受けカップ１１２の外周面１１２Ｂは、ヨーク１１３の嵌合穴１１３Ａに圧入されることで、軸受けカップ１１２がヨーク１１３に対して相対回転(クリープ)しないようにしている。
【０００４】
【発明が解決しようとする課題】
この後者のスナップリングタイプのユニバーサルジョイントでは、前者のキープレートタイプのユニバーサルジョイントに比べて、部品点数が少なく、組立て工数も少ない利点があるが、クリープの防止が圧入の締め代に依存しているので、比較的大きな負荷時には、クリープが起り易かった。
【０００５】
そこで、この発明の目的は、構造が簡単で、かつ、比較的大負荷時にもクリープを防止できるユニバーサルジョイントを提供することにある。
【０００６】
【課題を解決するための手段】
上記目的を達成するため、請求項１の発明のユニバーサルジョイントは、十字軸の軸端部に被せられる軸受けカップと、上記軸受けカップに外嵌され、この軸受けカップを介して、上記十字軸を回動自在に保持するヨークとを備えるユニバーサルジョイントであって、
上記軸受けカップが嵌合する上記ヨークの嵌合穴の周面に形成された環状溝に嵌合するとともに、上記軸受けカップの端面に係合して、この軸受けカップを軸方向に係止するスナップリングを備え、
上記ヨークに対して上記軸受けカップが相対回転したときに、上記スナップリングを拡径させる作動部が、上記軸受けカップの端面に形成されており、
上記作動部は、上記軸受けカップの端面から軸方向に突き出した第１,第２の２つの円柱形の突起であり、この円柱形の突起は、上記ヨークに対して上記軸受けカップが相対回転したときに、上記スナップリングに係合して、上記スナップリングを拡径させるものであり、
上記スナップリングは、径方向内方へ鋭角状に屈曲していると共に断部を挟む両端部を有し、
上記第１の円柱形の突起の中心軸を通って上記スナップリングの一方の端部が延びている方向に延びる中心線がこの第１の円柱形の突起の外周面と交差する点で、この第１の円柱形の突起と、上記スナップリングの一方の端部の先端の端面の周方向両端の角のうちの上記断部とは反対側の角とが接している初期規定位置では、上記第２の円柱形の突起の中心軸を通って上記スナップリングの他方の端部が延びている方向に延びる中心線がこの第２の円柱形の突起の外周面と交差する点で、この第２の円柱形の突起と上記スナップリングの他方の端部の先端の端面の周方向両端の角のうちの上記断部とは反対側の角とが接することを特徴としている。
【０００７】
この請求項１の発明では、上記スナップリングでもって、軸受けカップをヨークに対して軸方向に係止するとともに、ヨークに対して軸受けカップが相対回転したときには、軸受けカップの端面に形成された作動部が上記スナップリングを拡径させる。この拡径により、スナップリングは、ヨークの環状溝に押圧され、摩擦力でもって、ヨークに対する回転が止められ、これにより、スナップリングを回転させようとする作動部の回転が止められ、その結果、ヨークに対する軸受けカップの回転が止められる。したがって、この発明によれば、スナップリングが軸受けカップの軸方法の抜け止めだけでなく、回り止めも兼ねているので、キープレートタイプの従来例に比べて、構造が簡単で、かつ、従来のスナップリング固定タイプに比べて、比較的大負荷時にもクリープを防止できる。
【０００８】
また、この請求項１の発明では、上記作動部は、上記軸受けカップの端面から軸方向に突き出した突起であり、この突起は、上記ヨークに対して上記軸受けカップが相対回転したときに、上記スナップリングに係合して、上記スナップリングを拡径させる。したがって、この発明によれば、作動部の構造が簡単になる。
【０００９】
【発明の実施の形態】
以下、この発明を図示の実施の形態により詳細に説明する。
【００１０】
図１(Ａ),(Ｂ)に、この発明のユニバーサルジョイントの実施形態の要部上面および要部断面を示す。
【００１１】
この実施形態は、十字軸１の軸端部１Ａに被せられる軸受けカップ２と、この軸受けカップ２が嵌合される嵌合穴３Ａを有するヨーク３を有する。この軸受けカップ２は嵌合穴３Ａに圧入されている。また、この軸受けカップ２は、軸端部１Ａの外周面との間に、周方向に配列された複数のニードルころ(図示せず)を有し、軸端部１Ａを回転自在に保持している。
【００１２】
図１(Ｂ)に示すように、ヨーク３の嵌合穴３Ａをなす内周面には、環状溝５が形成され、この環状溝５にスナップリング６が嵌合されている。このスナップリング６は、軸受けカップ２の端面２Ａに当接して、軸受けカップ２がヨーク３の嵌合穴３Ａから軸方向に抜け出さないようにしている。
【００１３】
また、図１(Ａ)に示すように、このスナップリング６は、周方向の１箇所に断部７を有し、この断部７を挟む端部８,９は、径方向内方へ鋭角状に屈曲している。
【００１４】
一方、図２(Ａ)に示すように、軸受けカップ２の端面２Ａには、軸方向に所定寸法だけ突出した２個の円柱形の突起１１,１２が形成されている。この２個の突起１１,１２は、スナップリング６の断部７から周方向に離れる方向に位置ずれしていて、スナップリング６の端部８,９の先端８Ａ,９Ａに接している。図１(Ａ)に示す初期規定位置では、突起１１の中心軸を通る中心線Ｊ１が突起１１の外周面と交差する点で突起１１と先端８Ａの内側の角Ｆ１とが接している。また、突起１２の中心軸を通る中心線Ｊ２が突起１２の外周面と交差する点で突起１２と先端９Ａの内側の角Ｆ２とが接している。
【００１５】
この突起１１は、図１(Ａ)に矢印で示す周方向に軸受けカップ２がヨーク３に対して相対回転したときに、端部８の先端８Ａの端面１３を径方向外方に押して、スナップリング６を、断部７から外側へ開いて拡径する。これにより、スナップリング６の外周面が環状溝５の周面に押し付けられ、摩擦力でもって、ヨーク３に対する回転が止められ、その結果、スナップリング６の端部８の先端８Ａは突起１１の回転を止める。これにより、ヨーク３に対する軸受けカップ２の回転を、スナップリング６によるブレーキ作用によって止めることができる。
【００１６】
一方、軸受けカップ２が、ヨーク３に対して時計回りに相対回転したときには、もう１つの突起１２が、スナップリング６の端部９の先端９Ａの端面１４を径方向外方に押して、スナップリング６を断部７から外側へ開いて拡径する。これにより、上述と同様に、スナップリング６にブレーキ作用によって、ヨーク３に対する軸受けカップ２の回転を止めることができる。
【００１７】
このように、この実施形態によれば、スナップリング６が軸受けカップ２の軸方向の抜け止めだけでなく、回り止めも兼ねているので、キープレートタイプの従来例に比べて、構造が簡単で、かつ、従来のスナップリング固定タイプに較べて、比較的大負荷時にもクリープを防止できる。
【００１８】
尚、上記実施形態では、スナップリング６を拡径する作動部として、軸受けカップ２の端面２Ａに２つの突起１１,１２を形成したが、この突起１１,１２に替えて、図２(Ｂ)に示すような軸方向に窪んだ弧状長溝２１,２２を軸受けカップ２の端面２Ａに形成し、一方、初期規定位置において、スナップリング６の端部８,９の先端８Ａ,９Ａを上記弧状長溝２１,２２の係合端２１Ａ,２２Ａに嵌合するように屈曲させたものは参考例となる。この場合、軸受けカップ２がヨーク３に対して反時計回りに回転すると、長溝２２の係合端２２Ａが先端９Ａを断部７から開き、スナップリング６を拡径して、上記環状溝５に押圧し、摩擦力によるブレーキ作用でもって、軸受けカップ２がヨーク３に対して相対回転するのを防止できる。逆に、軸受けカップ２がヨーク３に対して時計回りに回転すると、長溝２１の係合端２１Ａが先端８Ａを断部７から開き、スナップリング６を拡径して、環状溝５に押圧し、摩擦力によるブレーキ作用でもって、軸受けカップ２がヨーク３に対して相対回転するのを防止できる。
【００１９】
【発明の効果】
以上より明らかなように、請求項１の発明のユニバーサルジョイントは、スナップリングでもって、軸受けカップをヨークに対して軸方向に係止するとともに、ヨークに対して軸受けカップが相対回転したときには、軸受けカップの端面に形成された作動部が上記スナップリングを拡径させる。この拡径により、スナップリングは、摩擦力でもって、スナップリングを回転させようとする作動部の回転が止められ、その結果、ヨークに対する軸受けカップの回転が止められる。したがって、この発明によれば、スナップリングが軸受けカップの軸方法の抜け止めだけでなく、回り止めも兼ねているので、構造が簡単で、かつ、従来のスナップリング固定タイプに比べて、比較的大負荷時にもクリープを防止できる。
【００２０】
また、請求項１の発明は、上記作動部は、上記軸受けカップの端面から軸方向に突き出した突起であり、この突起は、上記ヨークに対して上記軸受けカップが相対回転したときに、上記スナップリングに係合して、上記スナップリングを拡径させる。したがって、この発明によれば、作動部の構造が簡単になる。
【図面の簡単な説明】
【図１】  図１(Ａ)はこの発明のユニバーサルジョイントの実施形態のヨークと十字軸との嵌合部分を示す平面図であり、図１(Ｂ)は上記嵌合部分の部分断面図である。
【図２】  図２(Ａ)は、上記実施形態の軸受けカップの斜視図であり、図２(Ｂ)は、上記実施形態の軸受けカップの参考例を示す斜視図である。
【図３】  図３(Ａ)は従来のキープレート固定タイプのユニバーサルジョイントの要部平面図であり、図３(Ｂ)は上記ユニバーサルジョイントの側面図である。
【図４】  図４(Ａ)は従来のスナップリング固定タイプのユニバーサルジョイントの要部平面図であり、図４(Ｂ)は上記ユニバーサルジョイントの側面図である。
【符号の説明】
１…十字軸、１Ａ…軸端部、２…軸受けカップ、２Ａ…端面、３…ヨーク、
３Ａ…嵌合穴、５…環状溝、６…スナップリング、７…断部、８,９…端部、
８Ａ,９Ａ…先端、１１,１２…突起、１３,１４…端面、
２１,２２…弧状長溝。
【図１】
0003969053.tif 000002
【図２】
0003969053.tif 000003
【図３】
0003969053.tif 000004
【図４】
0003969053.tif 000005